(57)【特許請求の範囲】
【請求項１】
足場材を支柱のくさび受けに対して取り外し可能に連結するための構造体であって、
前記足場材が固着され、前記くさび受けに差し込み可能に形成された差込部を有する一対の板状部材と、前記板状部材の前記差込部側上部に設けられた回動軸部と、前記板状部材の前記足場材側上部に設けられた第１係止部と、前記第１係止部の下方かつ前記第１係止部より前記回動軸部側に設けられた第２係止部とを有する本体部材と、
前記本体部材の回動軸部に回動自在に軸支され、固定時に前記本体部材の前記差込部とともに前記くさび受けを保持する保持部と、該保持部の後部側に設けられた係合部とを有する回動保持部材と、
前記本体部材の前記第１係止部及び前記第２係止部と前記回動保持部材との間に進退可能に挿入され、前進時に前記回動保持部材の後側部と前記第１係止部及び前記第２係止部との間に楔着されて前記回動保持部材を回動不能に固定するとともに、後退時に前記回動保持部材の前記係合部と係合し前記回動保持部材を回動させて固定解除する鉤状部を有するくさび部材
とを備えたことを特徴とする仮設足場用連結構造体。
【請求項２】
前記回動保持部材の前記保持部先端に前記くさび受けを保持した際に前記くさび受けの挿入孔側へ突出する先端突部が形成されている請求項１に記載の仮設足場用連結構造体。
【請求項３】
前記くさび部材が、前進時において、前記回動保持部材の後側部に当接する直線状側部と、前記第１係止部及び前記第２係止部に当接する傾斜状側部とを有する請求項１又は２に記載の仮設足場用連結構造体。
【請求項４】
前記くさび部材が、後退時に前記第１係止部に係着可能な係着凹部を有する請求項１ないし３のいずれか１項に記載の仮設足場用連結構造体。
【請求項５】
前記一対の板状部材の各差込部が互いに内側へ屈曲されて溶接されている請求項１ないし４のいずれか１項に記載の仮設足場用連結構造体。
【発明の詳細な説明】
【技術分野】
【０００１】
本発明は、足場材が固定された本体部材を支柱のくさび受けに対して取り外し可能に連結するための仮設足場用連結構造体の改良に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に、斜材、水平材、または垂直材等の足場材を手すりとして先行して配置される。
【０００３】
足場材を配置する場合、例えば、図６に図示した足場材Ｐを支柱１０１のくさび受け１０５に対して取り外し可能に連結するための仮設足場用連結構造体１００が使用される（例えば、特許文献１参照。）。この連結構造体１００は、足場材Ｐが固定され挿入部１１５を有する本体部材１１０と、本体部材１１０の前側にくさび受け１０５に差し込み可能に形成された差込部１２０と、挿入部１１５に下方が前側に傾斜して形成された傾斜保持部１３０と、差込部１２０の下側突部１２１及び上側突部１２２と当接可能な直線状側部１４１と傾斜保持部１３０の傾斜に沿って当接可能な傾斜状側部１４２とを有し、傾斜保持部１３０とくさび受け１１５に差し込まれた差込部１２０との間を進退可能であり、前進時には直線状側部１４１が差込部１２０の下側突部１２１及び上側突部１２２に当接しかつ傾斜状側部１４２が傾斜保持部１３０の傾斜に沿って当接することによって固定されるとともに、後退時には固定が解除されるくさび部材１４０とを備える。図６において、符号１４３はくさび部材１４０に設けられた抜け止め部、１４４はくさび部材１４０の後退時に傾斜保持部１３０の上端部と係合する係合部である。
【０００４】
連結構造体１００では、くさび部材１４０の進退により当該連結構造体１００の固定及び固定解除を簡易に行うことが可能であり、支柱１１との連結時には差込部１２０とくさび部材１４０とでくさび受け１０５を狭持してがたつきを抑制するとともに、くさび受け１０５からの脱落を防止することができ、安定性及び安全性に優れる。
【０００５】
しかるに、この種の仮設足場用連結構造体にあっては、足場材の支柱への連結の簡易性や確実性、連結時の安定性等の更なる向上が求められている。
【先行技術文献】
【特許文献】
【０００６】
【特許文献１】特許第４８９０５２５号公報
【発明の概要】
【発明が解決しようとする課題】
【０００７】
本発明は、前記の点に鑑みなされたものであって、より簡易かつ確実に足場材を支柱へ連結可能とするとともに、連結時の安定性をより向上させることができる仮設足場用連結構造体を提供するものである。
【課題を解決するための手段】
【０００８】
すなわち、請求項１の発明は、足場材を支柱のくさび受けに対して取り外し可能に連結するための構造体であって、前記足場材が固着され、前記くさび受けに差し込み可能に形成された差込部を有する一対の板状部材と、前記板状部材の前記差込部側上部に設けられた回動軸部と、前記板状部材の前記足場材側上部に設けられた第１係止部と、前記第１係止部の下方かつ前記第１係止部より前記回動軸部側に設けられた第２係止部とを有する本体部材と、前記本体部材の回動軸部に回動自在に軸支され、固定時に前記本体部材の前記差込部とともに前記くさび受けを保持する保持部と、該保持部の後部側に設けられた係合部とを有する回動保持部材と、前記本体部材の前記第１係止部及び前記第２係止部と前記回動保持部材との間に進退可能に挿入され、前進時に前記回動保持部材の後側部と前記第１係止部及び前記第２係止部との間に楔着されて前記回動保持部材を回動不能に固定するとともに、後退時に前記回動保持部材の前記係合部と係合し前記回動保持部材を回動させて固定解除する鉤状部を有するくさび部材とを備えたことを特徴とする仮設足場用連結構造体に係る。
【０００９】
請求項２の発明は、前記回動保持部材の前記保持部先端に前記くさび受けを保持した際に前記くさび受けの挿入孔側へ突出する先端突部が形成されている請求項１に記載の仮設足場用連結構造体に係る。
【００１０】
請求項３の発明は、前記くさび部材が、前進時において、前記回動保持部材の後側部に当接する直線状側部と、前記第１係止部及び前記第２係止部に当接する傾斜状側部とを有する請求項１又は２に記載の仮設足場用連結構造体に係る。
【００１１】
請求項４の発明は、前記くさび部材が、後退時に前記第１係止部に係着可能な係着凹部を有する請求項１ないし３のいずれか１項に記載の仮設足場用連結構造体に係る。
【００１２】
請求項５の発明は、前記一対の板状部材の各差込部が互いに内側へ屈曲されて溶接されている請求項１ないし４のいずれか１項に記載の仮設足場用連結構造体に係る。
【発明の効果】
【００１３】
請求項１の発明に係る仮設足場用連結構造体は、足場材を支柱のくさび受けに対して取り外し可能に連結するための構造体であって、前記足場材が固着され、前記くさび受けに差し込み可能に形成された差込部を有する一対の板状部材と、前記板状部材の前記差込部側上部に設けられた回動軸部と、前記板状部材の前記足場材側上部に設けられた第１係止部と、前記第１係止部の下方かつ前記第１係止部より前記回動軸部側に設けられた第２係止部とを有する本体部材と、前記本体部材の回動軸部に回動自在に軸支され、固定時に前記本体部材の前記差込部とともに前記くさび受けを保持する保持部と、該保持部の後部側に設けられた係合部とを有する回動保持部材と、前記本体部材の前記第１係止部及び前記第２係止部と前記回動保持部材との間に進退可能に挿入され、前進時に前記回動保持部材の後側部と前記第１係止部及び前記第２係止部との間に楔着されて前記回動保持部材を回動不能に固定するとともに、後退時に前記回動保持部材の前記係合部と係合し前記回動保持部材を回動させて固定解除する鉤状部を有するくさび部材とを備えたため、より簡易かつ確実に足場材を支柱へ連結可能とするとともに、連結時の優れた安定性を得ることができる。
【００１４】
請求項２の発明は、請求項１において、前記回動保持部材の前記保持部先端に前記くさび受けを保持した際に前記くさび受けの挿入孔側へ突出する先端突部が形成されているため、固定時に当該仮設足場用連結構造体がくさび受けから外れることがなく、安全性を向上させることができる。
【００１５】
請求項３の発明は、請求項１又は２において、前記くさび部材が、前進時において、前記回動保持部材の後側部に当接する直線状側部と、前記第１係止部及び前記第２係止部に当接する傾斜状側部とを有するため、回動保持部材をより簡単かつ確実に固定保持することができる。
【００１６】
請求項４の発明は、請求項１ないし３において、前記くさび部材が、後退時に前記第１係止部に係着可能な係着凹部を有するため、後退位置でくさび部材を保持することが可能となり、作業性や安全性をより向上させることができる。
【００１７】
請求項５の発明は、請求項１ないし４において、前記一対の板状部材の各差込部が互いに内側へ屈曲されて溶接されているため、各板状部材の拡開を防止することができるとともに、本体部材を安価に形成することが可能となる。
【図面の簡単な説明】
【００１８】
【図１】本発明の一実施例に係る仮設足場用連結構造体の斜視図である。
【図２】図１の連結構造体の固定時の概略正面図である。
【図３】図１の連結構造体の固定解除時の概略正面図である。
【図４】図１の連結構造体のくさび部材が後退位置で保持された状態の概略正面図である。
【図５】本体部材の上面図である。
【図６】従来の連結構造体の固定時の概略正面図である。
【発明を実施するための形態】
【００１９】
図１〜図４に示す本発明の一実施例に係る仮設足場用連結構造体１０は、足場材Ｐを支柱１１のくさび受け１５に対して取り外し可能に連結するためのものであって、本体部材２０と、回動保持部材３０と、くさび部材４０とを備える。ここで、足場材Ｐは、仮設足場用の筋交い材、水平材、垂直材等である。また、図中の符号１６はくさび受け１５の挿入孔である。
【００２０】
本体部材２０は、図１〜図４に示すように、足場材Ｐが固着された部材であり、一対の板状部材２１，２２と、回動軸部２５と、第１係止部２６と、第２係止部２７とを有する。一対の板状部材２１，２２は、所定の間隙Ｓを設けて互いに対向配置され、一側に支柱１１のくさび受け１５に差し込み可能に形成された差込部２３，２４を有し、他側の間隙Ｓ内に足場材Ｐが溶接等により固着されている。回動軸部２５は、板状部材２１，２２の差込部２３，２４側上部の間隙Ｓ内に設けられたピン状部材である。第１係止部２６は板状部材２１，２２の足場材Ｐ側上部の間隙Ｓ内に設けられたピン状部材であり、第２係止部２７は第１係止部２６の下方かつ第１係止部２６より回動軸部２５側の間隙Ｓ内に設けられたピン状部材である。上記回動軸部２５、第１係止部２６、第２係止部２７は、それぞれ一対の板状部材２１，２２を互いに固定する固定部材としても作用する。
【００２１】
また、図５に示すように、一対の板状部材２１，２２では、各差込部２３，２４が互いに内側へ屈曲され、各端辺を当接させて互いに溶接されている。このように、各差込部２３，２４を溶接することにより、板状部材２１，２２の差込部２３，２４が補強されて、各板状部材２１，２２の間隙Ｓの拡開を防止することができる。加えて、板状部材２１，２２を一体に形成すると高価になることから、溶接によって板状部材２１，２２を一体化することで本体部材２０を安価に形成することが可能となる。なお、符号Ｗは各差込部２３，２４の溶接部である。
【００２２】
回動保持部材３０は、図１〜図４に示すように、本体部材２０の回動軸部２５に回動自在に軸支され、保持部３１と、係合部３５とを有する。保持部３１は、支柱１１のくさび受け１５よりも長い棒状部からなり、固定時に本体部材２０の差込部２３，２４とともに支柱１１のくさび受け１５の側部１５Ａを狭持して保持する。この保持部３１の先端には、くさび受け１５を保持した際にくさび受け１５の挿入孔１６側へ突出する先端突部３２が形成されている。そのため、本体部材２０の差込部２３，２４と回動保持部材３０とによってくさび受け１５の側部１５Ａを囲んで保持することが可能となり、固定時に当該仮設足場用連結構造体１０がくさび受け１５から外れることがなく、安全性を向上させることができる。一方、係合部３５は、保持部３１の後部側に下方側に開放して設けられた凹部である。図において、符号３３は回動保持部材３０の後側部である。
【００２３】
くさび部材４０は、図１〜図４に示すように、くさび本体４１と、鉤状部４５とを有し、本体部材２０の一対の板状部材２１，２２の間隙Ｓ、特に第１係止部２６及び第２係止部２７と回動保持部材３０との間（挿入部Ｓ１）に進退可能に挿入されて、回動保持部材３０の固定または固定解除を行う。
【００２４】
くさび本体４１は、くさび形状からなり、前進時に回動保持部材３０の後側部３３と第１係止部２６及び第２係止部２７との間に楔着されて回動保持部材３０を回動不能に固定し、後退時には固定解除する。固定時においては、ハンマー等でくさび本体４１の上端側を打ち込むことによって、より強固に固定することができる。実施例では、前進時において、回動保持部材３０の後側部３３に当接する直線状側部４２と、第１係止部３６及び第２係止部３７に当接する傾斜状側部４３とを有していることから、回動保持部材３０の後側部３３と第１係止部２６及び第２係止部２７との間への挿入を円滑に行うことができ、回動保持部材３０をより簡単かつ確実に固定保持することができる。また、くさび本体４１の後側部、すなわち傾斜状側部４３には、後退時に第１係止部２６に係着可能な係着凹部４４が形成されている。これにより、くさび部材４０を後退位置で保持することが可能となり、固定解除時にくさび部材４０が邪魔になることがなく作業性が向上し、安全性も向上する。
【００２５】
鉤状部４５は、くさび本体４１先端の回動固定部材３０側に形成され、後退時に回動保持部材３０の係合部３５と係合し、回動軸部２５を軸中心として回動保持部材３０を回動させて固定解除する。また、回動保持部材３０の固定解除に際しては、くさび部材４０の後退時において、鉤状部４５と係合部３５との係合状態が常時維持されるため、作業中に回動保持部材３０が固定側へ回動することがなく、安全に作業を行うことが可能となる。なお、図中の符号４６は、くさび本体４１先端の鉤状部４５の反対側に形成されたくさび部材４０の後退時の脱落を防止するための抜け止め部である。
【００２６】
次に、当該仮設足場用連結構造体１０の使用例について説明する。まず、当該連結構造体１０の連結に際しては、図２に示すように、支柱１１のくさび受け１５に本体部材２０の差込部２３，２４を挿入した後、くさび部材４０を前進させて回動保持部材３０の後側部３３と第１係止部２６及び第２係止部２７との間に楔着させることにより、回動保持部材３０の固定部３１をくさび受け１５側へ固定して、本体部材２０の差込部２３，２４とともに支柱１１のくさび受け１５の側部１５Ａを狭持させる。この時、必要に応じてハンマー等でくさび部材４０の上端側を打ち込むことにより、くさび部材４０を強固に楔着させることが可能となり、当該連結構造体１０の不用意な脱落を抑制することができる。
【００２７】
続いて、連結構造体１０の連結を解除する場合、図３に示すように、回動保持部材３０の後側部３３と第１係止部２６及び第２係止部２７との間に楔着されたくさび部材４０が後退される。その際、くさび本体４１先端の回動保持部材３０側に形成された鉤状部４５が回動保持部材３０の保持部３１の後部側に設けられた係合部３５と当接し、くさび部材４０がさらに後退することによって係合部３５が後退側へ引き上げられる。これにより、回動保持部材３０が回動軸部２５を軸中心としてくさび受け１５から離隔する方向へ回動して固定状態が解除される。
【００２８】
さらに、図４に示すように、くさび部材４０の後退時において、くさび部材４０の係着凹部４４を本体部材２０の第１係止部２６に係着させることで、くさび部材４０を後退位置で保持することが可能となる。このように、固定解除時にくさび部材４０を所定位置に保持可能であるため、作業中にくさび部材４０が邪魔になることがない。また、くさび部材４０の後退時には回動保持部材３０が常時固定解除された状態となるため、作業中は常に固定解除の状態が保持されるため、作業の妨げになることがない。したがって、作業性及び安全性が向上する。
【００２９】
そして、回動保持部材３０を固定解除したまま本体部材２０の差込部２３，２４を支柱１１のくさび受け１５から抜くことによって、当該連結構造体１０の連結を解除することができる。なお、連結構造体１０の連結作業時においても、くさび部材４０の係着凹部４４を本体部材２０の第１係止部２６に係着させることで、回動保持部材３０やくさび部材４０が作業の妨げになることを防止することが可能である。
【００３０】
以上図示し説明したように、本発明の仮設足場用連結構造体１０は、足場材Ｐが固着され、くさび受１５けに差し込み可能な差込部２３，２４を有する一対の板状部材２１，２２と、板状部材２１，２２の差込部２３，２４側上部に設けられた回動軸部２５と、板状部材２１，２２の足場材Ｐ側上部に設けられた第１係止部２６と、第１係止部２６の下方かつ第１係止部２６より回動軸部２５側に設けられた第２係止部２７とを有する本体部材２０と、回動軸部２５に回動自在に軸支され、固定時に差込部２３，２４とともにくさび受け１５を保持する保持部３１と、該保持部３１の後部側に設けられた係合部３５とを有する回動保持部材３０と、第１係止部２６及び第２係止部２７と回動保持部材３０との間に進退可能に挿入され、前進時に回動保持部材３０の後側部３３と第１係止部２６及び第２係止部２７との間に楔着されて回動保持部材３０を回動不能に固定するとともに、後退時に回動保持部材３０の係合部３５と係合し回動保持部材３０を回動させて固定解除する鉤状部４５を有するくさび部材４０とを備えている。そのため、くさび部材４０の進退により簡易かつ確実に支柱１１への足場材Ｐの連結または連結解除が可能となる。また、連結時にはくさび部材４０を楔着させることによって回動保持部材３０を回動不能として固定するため、差込部２３，２４と固定保持部材３０とによってくさび受け１５を強固に保持することが可能となり、連結時の優れた安定性を得ることができる。
【００３１】
さらに、回動保持部材３０の保持部３１先端に、くさび受け１５を保持した際にくさび受け１５の挿入孔１６側へ突出する先端突部３２を形成すれば、くさび受け１５の側部１５Ａを囲んで保持することが可能となり、固定時に当該仮設足場用連結構造体１０がくさび受け１５から外れることがなく、安全性を向上させることができる。
【００３２】
加えて、くさび部材４０が、前進時において、回動保持部材３０の後側部に当接する直線状側部４２と、第１係止部２６及び第２係止部２７に当接する傾斜状側部４３とを有するようにすれば、回動保持部材３０の後側部３３と第１係止部２６及び第２係止部２７との間へくさび部材を円滑に挿入することが可能であり、回動保持部材３０をより簡単かつ確実に固定保持することができる。
【００３３】
また、くさび部材４０に、後退時に第１係止部２６に係着可能な係着凹部４４を設ければ、後退位置でくさび部材４０を保持することが可能となるため、作業中にくさび部材４０が邪魔になることがなく、回動保持部材３０を常に固定解除の状態で保持することができ、作業性や安全性をより向上させることができる。
【００３４】
さらに、一対の板状部材２１，２２の各差込部２３，２４を互いに内側へ屈曲されて溶接すれば、差込部２３，２４が補強されて各板状部材２１，２２の拡開を防止することができるとともに、本体部材２０を安価に形成することが可能となる。
【００３５】
なお、本発明の仮設足場用連結構造体は、前述の実施例のみに限定されるものではなく、発明の趣旨を逸脱しない範囲において構成の一部を適宜に変更して実施することができる。
【符号の説明】
【００３６】
１０    仮設足場用連結構造体
１１    支柱
１５    くさび受け
１６    挿入孔
２０    本体部材
２１，２２  板状部材
２３，２４  差込部
２５    回動軸部
２６    第１係止部
２７    第２係止部
３０    回動保持部材
３１    保持部
３２    先端突部
３５    係合部
４０    くさび部材
４１    くさび本体
４２    直線状側部
４３    傾斜状側部
４４    係着凹部
４５    鉤状部
Ｐ      足場材
【図１】
0005926712.tif 000002
【図２】
0005926712.tif 000003
【図３】
0005926712.tif 000004
【図４】
0005926712.tif 000005
【図５】
0005926712.tif 000006
【図６】
0005926712.tif 000007